(57)【特許請求の範囲】
【請求項１】
顕微鏡本体と、前記顕微鏡本体の照明支柱に設けられた透過照明手段と、前記顕微鏡本体のステージ下方に設けられたフィルタブロックと、前記フィルタブロックを介して標本に照明光を投光する照明投光ユニット及び前記標本からの光を受光する受光手段のいずれかを選択的に着脱可能な装着部とを備えたことを特徴とする倒立顕微鏡。
【請求項２】
前記フィルタブロックに、ハーフミラー又はハーフプリズムが配置されていることを特徴とする請求項１に記載の倒立顕微鏡。
【請求項３】
前記フィルタブロックにダイクロイックミラーが配置されていることを特徴とする請求項１に記載の倒立顕微鏡。
【発明の詳細な説明】
【０００１】
【発明の属する技術分野】
この発明は倒立顕微鏡に関する。
【０００２】
【従来の技術】
図４は従来の倒立顕微鏡の側面図である。
【０００３】
倒立顕微鏡は、顕微鏡ボディ２１０と、顕微鏡ボディ２１０の照明支柱２２０に設けられた透過照明系２８０と、顕微鏡ボディ２１０のステージ２３０の下方に設けられたフィルタブロック２５０と、フィルタブロック２５０を介して標本２０５に照明光を投光する照明投光ユニット２６１を着脱可能な装着部２６０とを備える。
【０００４】
ステージ２３０とフィルタブロック２５０との間には対物レンズ２４０が配置されている。
【０００５】
上記照明投光ユニット２６１としては、例えば落射蛍光照明光学ユニットが用いられる。
【０００６】
落射蛍光照明光学ユニットはランプハウス２６３と照明光投光装置２６２とを備える。
【０００７】
ランプハウス２６３には例えば水銀ランプが収容される。
【０００８】
照明光投光装置２６２には集光レンズ２６２ａや視野絞り（図示せず）が設けられる。
【０００９】
フィルタブロック２５０は可動部２５５に保持され、ホルダ２５１に設けられている。フィルタブロック２５０にはダイクロイックミラー２５２と、励起フィルタ２５３と、吸収フィルタ等の補助フィルタ２５４が設けられている。
【００１０】
このフィルタブロック２５０は複数個をスライダ（図示せず）に並列に装着され、任意のフィルタブロック２５０を切換機構（図示せず）によって対物レンズ２４０の光軸上に挿入することができる。
【００１１】
落射蛍光観察の場合、ランプハウス２６３からの光は照明光投光装置２６２、フィルタブロック２５０及び対物レンズ２４０を通じて蛍光試薬によって染色された標本２０５へ入射され、標本２０５で反射された光は対物レンズ２４０及びフィルタブロック２５０を通じて接眼レンズ２７１に導かれ、標本２０５の蛍光像が観察される。
【００１２】
【発明が解決しようとする課題】
ところで、倒立顕微鏡のユーザは必ずしも落射蛍光照明光学ユニットを用いた顕微鏡観察だけを行う訳ではなく、落射蛍光照明光学ユニットを用いない様々な観察を行なう。
【００１３】
例えば、医学や生物学等のバイオテクノロジー分野では、落射蛍光照明光学ユニットを用いず、人口受精における卵やマイクロマニピュレータの操作状態の観察を行ったり、組織培養における培養標本の培養過程をチェックしたりする。
【００１４】
このとき、倒立顕微鏡にＴＶアダプタを組合わせて  精密な測光や画像解析を行ったり、カメラやティーチングヘッド（補助鏡筒）を組合わせて高品位の像の写真撮影や複数人での観察を行ったりすることができれば好都合である。
【００１５】
しかし、上記のように用いられる倒立顕微鏡は接眼レンズ以外に観察像を出力できないいわゆる普及型のものであり、サイドポートやフロントポート等の出力ポート（光の取出口）を備えておらず、ＴＶアダプタやカメラ等を組合わせたりすることはできない。また、ティーチングヘッドも、接眼レンズを横に増設する、いわゆるサイドバイサイドタイプしかなく、広い場所を必要とする。
【００１６】
この発明はこのような事情に鑑みてなされたもので、その課題はいわゆる普及型の倒立顕微鏡において、容易にＴＶアダプタやカメラ等を組み合わせることができる倒立顕微鏡を提供することである。
【００１７】
【課題を解決するための手段】
上記課題を解決するため請求項１記載の発明は、顕微鏡本体と、前記顕微鏡本体の照明支柱に設けられた透過照明手段と、前記顕微鏡本体のステージ下方に設けられたフィルタブロックと、前記フィルタブロックを介して標本に照明光を投光する照明投光ユニット及び前記標本からの光を受光する受光手段のいずれかを選択的に着脱可能な装着部とを備えたことを特徴とする。
【００１８】
受光手段を照明投光ユニットに代えて装着部に装着したとき、フィルタブロックで反射された標本からの光は受光手段で受光され、電気信号に変換される。
【００２１】
請求項２記載の発明は、請求項１に記載の倒立顕微鏡において、前記フィルタブロックに、ハーフミラー又はハーフプリズムが配置されていることを特徴とする。
【００２２】
フィルタブロックに、ハーフミラー又はハーフプリズムが配置されているので、標本からの光はハーフミラー又はハーフプリズムで反射率に応じて分割され、接眼レンズと受光手段との両方に導かれる。
【００２３】
請求項３記載の発明は、請求項１に記載の倒立顕微鏡において、前記フィルタブロックにダイクロイックミラーが配置されていることを特徴とする。
【００２４】
フィルタブロックにダイクロイックミラーが配置されているので、標本からの光はダイクロイックミラーの波長特性に応じて選択され、接眼レンズと受光手段との両方に導かれる。
【００２７】
【発明の実施の形態】
以下、この発明の実施の形態を図面に基づいて説明する。
【００２８】
図１はこの発明の第１実施形態に係る倒立顕微鏡の側面図であり、一部を破断して示している。
【００２９】
この倒立顕微鏡は、顕微鏡ボディ（顕微鏡本体）１０と、照明支柱２０と、ステージ３０と、対物レンズ４０と、フィルタブロック５０と、装着部２６０と、鏡筒７０を備える。
【００３０】
顕微鏡ボディ１０にはベース１１の一端に形成された照明支柱２０が設けられている。
【００３１】
照明支柱２０は垂直部２１とこの垂直部２１の上端から水平方向へ延びる水平部２２とで構成される。垂直部２１の上端の背面側にはランプハウス２３が設けられ、水平部２２には取付部２４を介してコンデンサレンズ２５が設けられている。
【００３２】
ランプハウス２３には例えばハロゲンランプが収容される。
【００３３】
照明支柱２０、ランプハウス２３、ミラー２６及びコンデンサレンズ２５で透過照明光学系（透過照明手段）８０が構成される。
【００３４】
また、ベース１１の他端には鏡筒７０が設けられ、鏡筒７０には対物レンズ４０によって生じた像を肉眼で観察できるように拡大する接眼レンズ７１が設けられている。
【００３５】
ベース１１にはＬ字形状の上下動部１５が設けられ、この上下動部１５は顕微鏡ボディ１０の側面に設けられた焦準ハンドル１６の操作によって上下方向に移動できる。
【００３６】
上下動部１５にはレボルバ４１が装着され、レボルバ４１には異なる種類の複数の対物レンズ４０が取り付けられている。なお、対物レンズ４０としては無限遠系対物レンズが用いられる。
【００３７】
対物レンズ４０の上方には標本５を載置したステージ３０が設けられ、ステージ３０の両端はベース１１と支持部３１とに固定されている。
【００３８】
対物レンズ４０の下方（ステージ３０下方）にはフィルタブロック５０が設けられている。
【００３９】
フィルタブロック５０はハーフミラー５２を保持する。このフィルタブロック５０は可動部５３に保持されており、可動部５３は顕微鏡の光軸に直交する方向（図１の紙面に垂直な方向）に移動可能にホルダ５１に保持されている。可動部５３を移動させることにより、フィルタブロック５０を異なる種類の光学素子を保持するフィルタブロックに変更することができる。
【００４０】
装着部２６０にはフィルタブロック５０で分岐された標本５からの光を外部へ導く中空の筒６１が装着されている。
【００４１】
中空の筒６１には、標本５からの光を集光する結像レンズ（第２対物レンズ）６２と、この受光した光を電気信号に変換するＣＣＤ撮像素子６３ａを有するＣＣＤカメラ６３等とが収容されている。
【００４２】
ＣＣＤ撮像素子６３ａは結像レンズ６２で形成される一次像面に配置され、ＣＣＤカメラ６３はＴＶモニタ（図示せず）に接続されている。
【００４３】
なお、中空の筒６１、結像レンズ６２及び撮像素子６３ａ（ＣＣＤカメラ６３）で受光手段が構成される。また、結像レンズ６２の焦点距離は顕微鏡ボディ１０に内蔵される第２対物レンズ１２の焦点距離と独立に設定できる。
【００４４】
透過照明観察の場合、ランプハウス２３から出射された光はミラー２６、コンデンサレンズ２５を通じて標本５へ入射する。標本５を透過した光は対物レンズ４０を通り、ハーフミラー５２に達する。
【００４５】
ハーフミラー５２で反射された光はミラーブロック５３を透過し、結像レンズ６２によってＣＣＤ撮像素子６３ａに結像し、光量に応じた電気信号に変換されてＴＶモニタに出力される。
【００４６】
一方、ハーフミラー５２を透過した顕微鏡像は顕微鏡ボディ１０に内蔵される第２対物レンズ１２等の光学系を介して接眼レンズ７１に導かれる。本実施形態の装着部２６０は、図４に示す装着部２６０と同じ構成である。従って、本実施形態の倒立顕微鏡は、筒６１を取り外して図４に示す照明投光ユニット２６１を装着することも可能である。この時、フィルタブロックとして図４に示すフィルタブロック２５０を可動部５３に取り付けておけば、簡単にフィルタブロックを交換することができ、落射照明観察を行なうことができる。すなわち、必要最小限の構成により、必要に応じた観察を適宜行なうことができる。
【００４７】
この第１実施形態に係る倒立顕微鏡によれば、接眼レンズ７１を通して顕微鏡像を肉眼観察できるとともに、ＣＣＤカメラ６３  に接続されたＴＶモニタによっても顕微鏡像の観察や測光を行うことができる。
【００４８】
また、焦点距離の異なる結像レンズ６２を備える中空の筒６１を複数用意することによって、ユーザは目的に応じて観察倍率を容易に変更することができる。
【００４９】
なお、結像レンズ６２をズームレンズで構成すれば、ＣＣＤカメラ６３による顕微鏡像の倍率を連続的に変えることができる。
【００５０】
図２はこの発明の第２実施形態に係る倒立顕微鏡の側面図であり、第１実施形態と同一部分には同一符号を付してその説明を省略する。
【００５１】
この第２実施形態は、フィルタブロック１５０にハーフミラー１５２と結像レンズ１６２とを内蔵した点で第１実施形態と異なる。
【００５２】
なお、中空の筒６１内にはＣＣＤ撮像素子６３ａ（ＣＣＤカメラ６３）が結像レンズ１６２の焦点位置に配置されている。
【００５３】
この第２実施形態に係る倒立顕微鏡によれば、第１実施形態と同様に接眼レンズ７１を通して顕微鏡像を肉眼観察できるとともに、ＣＣＤカメラ６３に接続されたＴＶモニタによっても顕微鏡像の観察を行うことができる。
【００５４】
図３はこの発明の第３実施形態に係る倒立顕微鏡の側面図であり、第１実施形態と同一部分には同一符号を付してその説明を省略する。
【００５５】
この第３実施形態は中空の筒６１にＣＣＤカメラ６３を収容する代わりに、ティーチングヘッド（補助鏡筒）（観察手段）９０を組合わせた点で第１実施形態と異なる。
【００５６】
この第３実施形態によれば、ティーチングヘッド９０を顕微鏡の後側に配置できるため、広いスペースを必要とせず、複数人での観察が可能となる。
【００５７】
なお、上記各実施形態において、フィルタブロック５０，１５０を対物レンズ４０の光軸上から外したときには１００％の光が接眼レンズ７１に導かれる。
【００５８】
また、ハーフミラー５２，１５２を全反射ミラーとしたときには、このハーフミラー５２，１５２を備えるフィルタブロック５０，１５０を光路上に挿入することによって１００％の光をＣＣＤカメラ６３やティーチングヘッド９０に導くことができる。
【００５９】
更に、フィルタブロック５０，１５０にダイクロイックミラーを設けることで、標本５からの光はダイクロイックミラーの波長特性に応じて選択され、波長特性に応じた光量を接眼レンズ７１とＣＣＤカメラ６３との両方に導くことができる。  また、上記各実施形態においてはフィルタブロック５０，１５０にハーフミラー５２，１５２を設けたが、ハーフミラー５２，１５２の代わりに、例えばハーフプリズムを用いてもよい。
【００６０】
更に、上記実施形態では対物レンズ４０としては無限遠系対物レンズが用いたが、有限系対物レンズを用いるとともに一点鎖線で示すように（図１）凹レンズ４２をレボルバ４０に設け、有限系対物レンズと凹レンズ４２とを組み合わせて平行光束を得るようにしてもよい。このときでも無限系対物レンズを用いたときと同様の効果を発揮することができる。
【００６１】
【発明の効果】
以上に説明したように請求項１記載の発明によれば、受光手段を照明投光ユニットに代えて装着部に装着したとき、フィルタブロックで反射された標本からの光を受光手段で受光し、電気信号に変換する。したがって、接眼レンズ以外に観察像を出力できない倒立顕微鏡であっても、受光手段を照明投光ユニットに装着するだけで、顕微鏡像の観察や光量の検出を行うことができる。
【００６３】
請求項２記載の発明によれば、標本からの光はハーフミラー又はハーフプリズムで反射率に応じて分割され、分割比に応じた光量を接眼レンズと受光手段との両方に導く。
【００６４】
請求項３記載の発明によれば、標本からの光はダイクロイックミラーの波長特性に応じて選択され、波長特性に応じた光量を接眼レンズと受光手段との両方に導く。
【図面の簡単な説明】
【図１】図１はこの発明の第１実施形態に係る倒立顕微鏡の側面図である。
【図２】図２はこの発明の第２実施形態に係る倒立顕微鏡の側面図である。
【図３】図３はこの発明の第３実施形態に係る倒立顕微鏡の側面図である。
【図４】図４は従来の倒立顕微鏡の側面図である。
【符号の説明】
５  標本
１０  顕微鏡ボディ（顕微鏡本体）
２０  照明支柱
３０  ステージ
５０  フィルタブロック
５２  ハーフミラー
６１  中空の筒
６２  結像レンズ
６３ａ  撮像素子
８０  透過照明系（透過照明手段）
９０ティーチングヘッド（観察手段）
【図１】
0003879218.tif 000002
【図２】
0003879218.tif 000003
【図３】
0003879218.tif 000004
【図４】
0003879218.tif 000005